(57)【要約】【課題】消費者に対する宣伝効果を高める。特に画像を収集するユーザに対する宣伝効果を高めることができる。【解決手段】広告画像配信サーバであって、商品の種類を特定する商品特定情報、商品に関する広告を含む広告有画像、および、広告有画像から広告を除いた広告無画像を対応付けて格納する画像格納部と、広告有画像を配信する広告有配信部と、商品に付された商品特定情報の入力を受け付けた場合に、広告無画像を配信する広告無配信部とを備える。【選択図】図２
2007193229.tif 000002
【特許請求の範囲】
【請求項１】
商品の種類を特定する商品特定情報、前記商品に関する広告を含む広告有画像、および、前記広告有画像から広告を除いた広告無画像を対応付けて格納する画像格納部と、
前記広告有画像を配信する広告有配信部と、
前記商品に付された前記商品特定情報の入力を受け付けた場合に、前記広告無画像を配信する広告無配信部と
を備える広告画像配信サーバ。
【請求項２】
前記広告有画像と前記広告無画像との選択を受け付ける選択受付部をさらに備え、
前記選択受付部が前記広告有画像の選択を受け付けた場合に、前記広告有配信部は前記広告有画像を配信し、
前記選択受付部が前記広告無画像の選択を受け付けた場合に、前記広告無配信部は、前記商品特定情報の入力を要求し、前記要求に基づいて前記広告無画像に対応付けられた前記商品特定情報が入力されたことを条件に、前記広告無画像を配信する請求項１に記載の広告画像配信サーバ。
【請求項３】
前記広告有配信部から前記広告有画像が配信された配信先を識別する配信先識別情報の履歴を格納する配信先履歴格納部をさらに備え、
前記広告無配信部は、前記商品特定情報の入力を受け付けた場合に、前記入力の配信元を識別する配信元識別情報を取得し、前記配信元識別情報が前記配信先履歴格納部に格納されていることを条件に、前記広告無画像を前記配信元識別情報により特定される前記配信元に配信する請求項１に記載の広告画像配信サーバ。
【請求項４】
広告画像配信サーバ、前記広告画像配信サーバと通信する印刷装置、および、前記印刷装置と対応し、前記広告画像配信サーバと直接乃至間接に通信するコード読取装置を備えた広告配信システムであって、
前記コード読取装置は、
商品に付されたコードから前記商品の種類を特定する商品特定情報を読み取る読取部と、
前記商品特定情報を前記広告画像配信サーバに送信するコード配信部と
を有し、
前記印刷装置は、前記広告画像配信サーバから受信した前記広告有画像および前記広告無画像を印刷する印刷部を有し、
前記広告画像配信サーバは、
前記商品特定情報、前記商品に関する広告を含む広告有画像、および、前記広告有画像から広告を除いた広告無画像を対応付けて格納する画像格納部と、
前記印刷装置から要求があった場合に、前記広告有画像を配信する広告有配信部と、
前記印刷装置から要求があった場合に、前記印刷装置と対応した前記コード読取装置の前記コード配信部から前記商品特定情報の入力を受け付けたことを条件に、前記広告無画像を前記印刷装置の前記印刷部に配信する広告無配信部と
を有する広告画像配信システム。
【請求項５】
前記コード読取装置は、前記コードから前記商品の個体を識別する個体識別情報を読み取り、前記個体識別情報をさらに前記広告画像配信サーバに送信し、
前記広告画像配信サーバは、前記広告無配信部から前記広告無画像が配信された時の前記個体識別情報の履歴を格納する個体別履歴格納部をさらに有し、
前記広告無配信部は、前記コード読取装置の前記コード配信部から前記個体識別情報を受信した場合に、前記個体識別情報が前記個体別履歴格納部に格納されていないことを条件に前記広告無画像を前記印刷装置の前記印刷部に配信する請求項４に記載の広告画像配信システム。
【請求項６】
広告画像配信サーバ、前記広告画像配信サーバと通信する印刷装置、および、前記印刷装置と通信するコード読取装置を備えた広告配信システムであって、
前記広告画像配信サーバは、
商品の種類を特定する商品特定情報、前記商品に関する広告を含む広告有画像、および、前記広告有画像から広告を除いた広告無画像を対応付けて格納する画像格納部と、
前記広告有画像および前記広告無画像を前記商品特定情報に対応付けて前記印刷装置に配信する両広告配信部と
を有し、
前記コード読取装置は、商品に付されたコードから商品特定情報を読み取り、前記商品特定情報を前記印刷装置に送信し、
前記印刷装置は、
前記広告画像配信サーバから受信した前記商品特定情報と、前記コード読取装置から受信した前記商品特定情報とが一致することを条件に、前記商品特定情報に対応付けて配信された前記広告無画像を印刷する広告画像配信システム。
【請求項７】
前記印刷装置は、
前記広告画像配信サーバから受信した前記広告有画像および前記広告無画像を前記商品特定情報に対応付けて格納する画像格納部と、
外部から要求があった場合に、前記コード読取装置から受信した前記商品特定情報が、前記画像格納部に格納されている前記商品特定情報に一致することを条件に、前記商品特定情報に対応付けて配信された前記広告無画像を印刷する広告印刷部と
を有する請求項６に記載の広告画像配信システム。
【請求項８】
前記コード読取装置は、前記コードから商品の個体を識別する個体識別情報を読み取り、前記個体識別情報を前記印刷装置に送信し、
前記印刷装置は、前記広告印刷部により印刷された前記広告無画像に対応する前記個体識別情報を格納する個体別履歴格納部をさらに有し、
前記広告印刷部は、外部から要求があった場合に、前記コード読取装置から送信された前記個体識別情報が、前記個体別履歴格納部に格納されていないことを条件に、前記商品特定情報に対応付けて配信された前記広告無画像を印刷する請求項７に記載の広告画像配信システム。
【請求項９】
前記広告印刷部は、外部から要求があった場合に、前記画像格納部に格納されている前記商品特定情報が、前記画像格納部に格納されている前記商品特定情報に一致しなかったときは、前記商品特定情報に対応付けて配信された前記広告有画像を印刷する請求項７に記載の広告画像配信システム。
【発明の詳細な説明】
【技術分野】
【０００１】
本発明は、広告画像配信サーバおよび広告画像配信システムに関する。特に、本発明は、広告有画像から広告を除いた広告無画像を配信する広告画像配信サーバおよび広告画像配信システムに関する。
【背景技術】
【０００２】
企業等の広告の画像データを格納し、ユーザからの要求に基づいて、画像データを当該ユーザのプリントシステムに送信し印刷出力させる広告管理サーバが知られている（例えば、特許文献１参照。）。特許文献１に記載の広告管理サーバによれば、その画像データの印刷出力が正常終了した場合に、特典として、そのユーザに対して所定の計算により算出された金銭を付与するので、ユーザに対する宣伝効果を高めることができる。
【特許文献１】特開２００５−６２２８１号公報
【発明の開示】
【発明が解決しようとする課題】
【０００３】
しかしながら、金銭の獲得を目的とせず単に画像データの収集を目的として、広告の画像データを要求するユーザも多い。したがって、特許文献１に記載の広告管理サーバは、単に画像データの収集目的のユーザに対する宣伝効果をより高める方策を講じる余地がある。
【課題を解決するための手段】
【０００４】
上記課題を解決するために、本発明の第１の形態においては、広告画像配信サーバであって、商品の種類を特定する商品特定情報、商品に関する広告を含む広告有画像、および、広告有画像から広告を除いた広告無画像を対応付けて格納する画像格納部と、広告有画像を配信する広告有配信部と、商品に付された商品特定情報の入力を受け付けた場合に、広告無画像を配信する広告無配信部とを備える。これにより、商品購入者にその商品に係る広告無画像を配信するので、その商品の販売を促進することができる。特に画像を収集するユーザに対し、その画像に付された広告に関する商品の販売を促進することができる。
【０００５】
広告画像配信サーバは、広告有画像と広告無画像との選択を受け付ける選択受付部をさらに備え、選択受付部が広告有画像の選択を受け付けた場合に、広告有配信部は広告有画像を配信し、選択受付部が広告無画像の選択を受け付けた場合に、広告無配信部は、商品特定情報の入力を要求し、要求に基づいて広告無画像に対応付けられた商品特定情報が入力されたことを条件に、広告無画像を配信してもよい。これにより、広告無画像の配信を希望するユーザに対して商品の販売を促進することができる。
【０００６】
広告画像配信サーバは、広告有配信部から広告有画像が配信された配信先を識別する配信先識別情報の履歴を格納する配信先履歴格納部をさらに備え、広告無配信部は、商品特定情報の入力を受け付けた場合に、入力の配信元を識別する配信元識別情報を取得し、配信元識別情報が配信先履歴格納部に格納されていることを条件に、広告無画像を配信元識別情報により特定される配信元に配信してもよい。これにより、広告有画像を配信した消費者にその商品に係る広告無画像を配信するので、広告の露出度を向上させることができる。また、広告無画像および広告有画像の両画像を配信するので、消費者に対して両画像の差分である広告を印象づけることができる。
【０００７】
上記課題を解決するために、本発明の第２の形態においては、広告画像配信サーバ、広告画像配信サーバと通信する印刷装置、および、印刷装置と対応し、広告画像配信サーバと直接乃至間接に通信するコード読取装置を備えた広告配信システムであって、コード読取装置は、商品に付されたコードから商品の種類を特定する商品特定情報を読み取る読取部と、商品特定情報を広告画像配信サーバに送信するコード配信部とを有し、印刷装置は、広告画像配信サーバから受信した広告有画像および広告無画像を印刷する印刷部を有し、広告画像配信サーバは、商品特定情報、商品に関する広告を含む広告有画像、および、広告有画像から広告を除いた広告無画像を対応付けて格納する画像格納部と、印刷装置から要求があった場合に、広告有画像を配信する広告有配信部と、印刷装置から要求があった場合に、印刷装置と対応したコード読取装置のコード配信部から商品特定情報の入力を受け付けたことを条件に、広告無画像を印刷装置の印刷部に配信する広告無配信部とを有する。これにより、第１の形態と同様の効果を得ることができる。
【０００８】
コード読取装置は、コードから商品の個体を識別する個体識別情報を読み取り、個体識別情報をさらに広告画像配信サーバに送信し、広告画像配信サーバは、広告無配信部から広告無画像が配信された時の個体識別情報の履歴を格納する個体別履歴格納部をさらに有し、広告無配信部は、コード読取装置のコード配信部から個体識別情報を受信した場合に、個体識別情報が個体別履歴格納部に格納されていないことを条件に広告無画像を印刷装置の印刷部に配信してもよい。これにより、商品購入者に、商品の個体ひとつについて複数回の広告無画像の配信を制限するので、商品の販売促進により貢献することができる。また、広告無画像の価値の低下をさらに防ぎ、消費者に商品を購入へのインセンティブを継続的に与えることができる。
【０００９】
上記課題を解決するために、本発明の第３の形態においては、広告画像配信サーバ、広告画像配信サーバと通信する印刷装置、および、印刷装置と通信するコード読取装置を備えた広告配信システムであって、広告画像配信サーバは、商品の種類を特定する商品特定情報、商品に関する広告を含む広告有画像、および、広告有画像から広告を除いた広告無画像を対応付けて格納する画像格納部と、広告有画像および広告無画像を商品特定情報に対応付けて印刷装置に配信する両広告配信部とを有し、コード読取装置は、商品に付されたコードから商品特定情報を読み取り、商品特定情報を印刷装置に送信し、印刷装置は、広告画像配信サーバから受信した商品特定情報と、コード読取装置から受信した商品特定情報とが一致することを条件に、商品特定情報に対応付けて配信された広告無画像を印刷する。これにより、商品購入者にその商品に係る広告無画像を印刷させて、その商品の販売を促進することができる。特に画像を収集するユーザに対し、その画像に付された広告に関する商品の販売を促進することができる。
【００１０】
印刷装置は、広告画像配信サーバから受信した広告有画像および広告無画像を商品特定情報に対応付けて格納する画像格納部と、外部から要求があった場合に、コード読取装置から受信した商品特定情報が、画像格納部に格納されている商品特定情報に一致することを条件に、商品特定情報に対応付けて配信された広告無画像を印刷する広告印刷部とを有してもよい。これにより、商品購入者にその商品に係る広告無画像を印刷するので、広告無画像を印刷する消費者に対する宣伝効果を高めることができる。また、広告無画像の価値の低下を防ぎ、消費者に商品を購入へのインセンティブを継続的に与えることができる。
【００１１】
コード読取装置は、コードから商品の個体を識別する個体識別情報を読み取り、個体識別情報を印刷装置に送信し、印刷装置は、広告印刷部により印刷された広告無画像に対応する個体識別情報を格納する個体別履歴格納部をさらに有し、広告印刷部は、外部から要求があった場合に、コード読取装置から送信された個体識別情報が、個体別履歴格納部に格納されていないことを条件に、商品特定情報に対応付けて配信された広告無画像を印刷してもよい。これにより、商品購入者に、商品の個体ひとつについて複数回の広告無画像の印刷を制限するので、商品の販売促進により貢献することができる。また、広告無画像の価値の低下をさらに防ぎ、消費者に商品を購入へのインセンティブを継続的に与えることができる。
【００１２】
広告印刷部は、外部から要求があった場合に、画像格納部に格納されている商品特定情報が、画像格納部に格納されている商品特定情報に一致しなかったときは、商品特定情報に対応付けて配信された広告有画像を印刷してもよい。これにより、広告無画像を印刷する前に、確実に広告有画像を印刷させることができる。
【００１３】
なお、上記の発明の概要は、本発明の必要な特徴の全てを列挙したものではなく、これらの特徴群のサブコンビネーションもまた、発明となりうる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１５】
図１は、広告画像配信システム１０の一例を示す。広告画像配信システム１０は、広告画像配信サーバ２０、広告画像配信サーバ２０とネットワーク５０を介して通信する印刷装置３０を備える。広告画像配信サーバ２０の一例はウェブサーバであり、商品に関する広告を含む広告有画像またはそのサムネイルである表示画像をウェブページ上で公開する。印刷装置３０は、パーソナルコンピュータ３４、および、パーソナルコンピュータ３４からの出力に基づく印刷をするプリンタ３２を備え、例えば個人宅に設置される。パーソナルコンピュータ３４は、マウス、キーボード等の入力手段、および、ディスプレイ等の出力手段を有する。当該広告画像配信システム１０において、広告画像配信サーバ２０は、印刷装置３０のユーザから広告無画像の印刷が要求された場合に、当該印刷装置３０を使用するユーザが商品を購入したことを条件に、広告無画像の印刷を許可する。
【００１６】
コード読取装置４０は、印刷装置３０と通信する。この場合に、コード読取装置４０は、印刷装置３０と直接的につながっていてもよいし、コード読取装置４０と印刷装置とがネットワーク５０につながっており、このネットワーク５０を介して互いに通信してもよい。このコード読取装置４０は、読取部４２およびコード配信部４４を有する。読取部４２は、商品または商品の包装容器に付されたコードから商品の種類を特定する商品特定情報（「以下、「商品ＩＤ」という。）、および、商品の個体を識別する個体識別情報（「以下、「個体ＩＤ」という。）を読み取る。また、コード配信部４４は、読み取った商品ＩＤおよび個体ＩＤを印刷装置３０に送信する。なお、商品の種類および個体は、商品を提供する者によって予め決定され、例えば、二次元バーコードによって商品または商品の包装容器に予め付される。
【００１７】
図２は、広告画像配信システム１０の一例をブロック図で示す。図３は、印刷装置３０により表示されるウィンドウ画面３６の一例を示す。印刷装置３０は、印刷部１７０、表示部１８０、および、入力部１９０を備える。広告画像配信サーバ２０は、選択受付部１００、広告有配信部１１０、広告無配信部１２０、配信先履歴格納部１３０、個体別履歴格納部１４０、および、画像格納部１５０を備える。
【００１８】
印刷部１７０は、広告有配信部１１０から商品に関する広告を含む広告有画像３００を受信する。また後述する所定の条件を満足した場合に、印刷部１７０は、広告無配信部１２０から、広告有画像３００から広告を除いた広告無画像３１０を受信する。印刷部１７０は、受信した広告有画像３００および広告無画像３１０を印刷する。
【００１９】
画像格納部１５０は、商品ＩＤ、広告有画像３００、広告無画像３１０を対応付けて格納する。図２に示す形態において、画像格納部１５０は、商品ＩＤに対応付けて、広告有画像３００を識別する広告有画像ＩＤ、および、広告無画像３１０を識別する広告無画像ＩＤを格納する。画像格納部１５０は、さらに、広告有画像ＩＤに対応付けて広告有画像３００、および、広告無画像ＩＤに対応付けて広告無画像３１０を格納する。
【００２０】
画像格納部１５０は、また、広告有画像ＩＤに対応付けて、広告有画像３００を縮小した表示用画像４００を格納する。具体的には、画像格納部１５０は、広告有画像ＩＤに対応付けて表示用画像ＩＤを、表示用画像ＩＤに対応付けて表示用画像４００を格納する。
【００２１】
個体別履歴格納部１４０は商品についてコード読取装置４０により読み取られた個体ＩＤを格納する。また、配信先履歴格納部１３０は、広告有配信部１１０から広告有画像３００を配信した印刷部１７０の配信先を識別する配信先ＩＤの履歴を格納する。図２の形態において、配信先履歴格納部１３０は、配信先ＩＤに対応付けて広告無画像ＩＤを格納する。
【００２２】
表示部１８０は、画像格納部１５０から、表示用画像４００、その表示用画像４００に対応付けられた広告有画像ＩＤ、および、その広告有画像ＩＤに対応付けられた広告無画像ＩＤを取得する。表示部１８０は、上記表示用画像４００をウィンドウ画面３６に表示する。表示部１８０は、また、表示用画像４００に加え、広告有画像３００と広告無画像３１０との選択を受け付ける選択欄、および、完了ボタンを表示する。表示部１８０は、後述する広告無配信部１２０から、商品ＩＤおよび個体ＩＤの入力を要求する旨の情報を受信した場合に、その旨をウィンドウ画面３６に表示する。ウィンドウ画面３６の一例は、広告画像配信サーバ６０が公開しているウェブページである。
【００２３】
入力部１９０は、ウィンドウ画面３６の完了ボタンが押された場合に、表示部１８０により表示されていた表示用画像４００に対応する広告有画像ＩＤおよび広告無画像ＩＤと、ユーザが選択欄において選択した選択情報とを受け付ける。入力部１９０は、受け付けた広告有画像ＩＤ、広告無画像ＩＤおよび選択情報を選択受付部１００に送信する。入力部１９０は、これらに加え、印刷装置３０を識別する情報を選択受付部１００に送信する。
【００２４】
広告画像配信サーバ２０の選択受付部１００は、入力部１９０から、広告有画像３００を選択した旨を示す選択情報を受信した場合に、広告有画像ＩＤ、広告無画像ＩＤおよび配信元ＩＤを広告有配信部１１０に供給する。選択受付部１００は、広告無画像３１０を選択した旨を示す選択情報を受信した場合に、広告無画像ＩＤおよび配信元ＩＤを広告無配信部１２０に供給する。さらに、選択受付部１００は、広告無画像ＩＤおよび配信元ＩＤを広告無配信部１２０に供給した後に、広告有配信部１１０から広告有画像３００を供給すべき旨の通知を受けた場合に、広告有画像ＩＤ、広告無画像ＩＤおよび配信元ＩＤを広告有配信部１１０に供給する。
【００２５】
広告有配信部１１０は、選択受付部１００から広告有画像ＩＤ、広告無画像ＩＤおよび配信元ＩＤの供給を受けた場合に、画像格納部１５０から広告有画像ＩＤで識別される広告有画像３００を取得する。広告有配信部１１０は、上記広告有画像３００を、配信元ＩＤで識別される印刷装置３０の印刷部１７０に配信する。広告有配信部１１０は、広告有画像３００を印刷部１７０に配信した場合に、配信先ＩＤおよび広告無画像ＩＤとして、その配信元ＩＤおよびその広告無画像ＩＤを配信先履歴格納部１３０に格納する。
【００２６】
広告無配信部１２０は、選択受付部１００から広告無画像ＩＤ、配信元ＩＤの供給を受けた場合に、コード読取装置４０に対して、商品ＩＤおよび個体ＩＤの入力を要求する旨の情報を送信する。また、広告無配信部１２０は、所定の条件を満たしているか否かを判断し、所定の条件を満たしている場合に、広告無画像を配信する。まず、所定の条件の一つとして、広告無配信部１２０は、コード読取装置４０から商品ＩＤを受信した場合に、選択受付部１００から供給された広告無画像ＩＤに対応する商品ＩＤを、画像格納部１５０から取得し、コード読取装置４０から受信した商品ＩＤと一致するか否かを判断する。さらに、他の所定の条件として、広告無配信部１２０は、選択受付部１００から供給された配信元ＩＤと広告無画像ＩＤの組み合せが、配信先ＩＤと広告無画像ＩＤの組み合せとして配信先履歴格納部１３０に格納されているか否か、および、コード読取装置４０から受信した個体ＩＤが、個体別履歴格納部１４０に格納されているか否かを判断する。
【００２７】
広告無配信部１２０は、画像格納部１５０から取得した商品ＩＤとコード読取装置４０から受信した商品ＩＤとが一致し、選択受付部１００から供給された配信元ＩＤと広告無画像ＩＤの組み合せが配信先ＩＤと広告無画像ＩＤの組み合せとして配信先履歴格納部１３０に格納されており、コード読取装置４０から受信した個体ＩＤが個体別履歴格納部１４０に格納されていない場合に、上記広告無画像ＩＤにより識別される広告無画像３１０を画像格納部１５０から取得して、配信先ＩＤにより特定される印刷部１７０に配信する。広告無配信部１２０は、広告無画像３１０を印刷部１７０に配信した場合に、コード読取装置４０から受信した個体ＩＤを個体別履歴格納部１４０に格納する。
【００２８】
広告無配信部１２０は、上記所定の条件にいずれかが満足されない場合に、選択受付部１００に広告有画像３００を供給すべき旨を通知する。すなわち、広告無配信部１２０は、画像格納部１５０から取得した商品ＩＤとコード読取装置４０から受信した商品ＩＤとが一致しない場合、選択受付部１００から供給された配信元ＩＤと広告無画像ＩＤの組み合せが配信先ＩＤと広告無画像ＩＤの組み合せとして配信先履歴格納部１３０に格納されていない場合、または、コード読取装置４０から受信した個体ＩＤが個体別履歴格納部１４０に格納されている場合に、選択受付部１００に広告有画像３００を供給すべき旨を通知する。
【００２９】
図４は、広告画像配信サーバ２０の動作のフローチャートの一例を示す。本フローチャートは、広告画像配信サーバ２０の選択受付部１００が印刷装置３０の入力部１９０から広告有画像ＩＤ、広告無画像ＩＤ、選択情報および配信元ＩＤを受信したことにより開始する。
【００３０】
選択受付部１００は、ユーザが広告無画像３１０の配信を選択したか否かを判断する（Ｓ１００）。選択受付部１００は、入力部１９０から広告無画像３１０を選択した旨を示す選択情報を受信した場合に、広告無画像３１０の配信を選択したと判断する。
【００３１】
ユーザが広告無画像３１０の配信を選択した場合（Ｓ１００：Ｙｅｓ）、選択受付部１００は、広告無画像ＩＤおよび配信元ＩＤを広告無配信部１２０に供給する。
【００３２】
広告無配信部１２０は、選択受付部１００から広告無画像ＩＤおよび配信元ＩＤの供給を受けた場合に、コード読取装置４０に対して、商品ＩＤおよび個体ＩＤの入力を要求する旨の情報を送信する（Ｓ１１０）。コード読取装置４０は、広告無配信部１２０から商品ＩＤおよび個体ＩＤの入力を要求する旨の情報を受信した場合に、その旨を表示部１８０に通知する。表示部１８０は、コード読取装置４０から商品ＩＤおよび個体ＩＤの入力を要求する旨の情報を受信した場合に、その旨をウィンドウ画面３６に表示する。
【００３３】
コード読取装置４０は、ユーザの操作により、商品に付されたコードから商品の商品ＩＤおよび個体ＩＤを読み取る。コード読取装置４０は、読み取った商品ＩＤおよび個体ＩＤを広告無配信部１２０に送信する。
【００３４】
広告無配信部１２０は、コード読取装置４０から商品ＩＤを受信した場合に、配信を要求されている広告無画像３１０に対応する商品ＩＤを読み取ったか否かを判断する（Ｓ１２０）。この場合に、広告無配信部１２０は、選択受付部１００から供給された広告無画像ＩＤに対応する商品ＩＤを画像格納部１５０から取得して、画像格納部１５０から取得した商品ＩＤと、コード読取装置４０から受信した商品ＩＤとが一致すると判断した場合に、配信を要求されている広告無画像３１０に対応する商品ＩＤを読み取ったと判断する。これにより、商品購入者にその商品に係る広告無画像３１０を配信するので、その商品の販売を促進することができる。特に画像を収集するユーザに対し、その画像に付された広告に関する商品の販売を促進することができる。
【００３５】
ステップＳ１２０において、配信を要求されている広告無画像３１０に対応する商品ＩＤが読み取られた場合に（Ｓ１２０：Ｙｅｓ）、広告無配信部１２０は、その商品の広告有画像３００は配信済みであるか否かを判断する（Ｓ１３０）。この場合に、広告無配信部１２０は、選択受付部１００から供給された配信元ＩＤと広告無画像ＩＤの組み合せが、配信先ＩＤと広告無画像ＩＤの組み合せとして配信先履歴格納部１３０に格納されていると判断した場合に、その商品の広告有画像３００は配信済みであると判断する。これにより、広告有画像３００を配信した消費者にその商品に係る広告無画像３１０を配信するので、広告の露出度を向上させることができる。また、広告無画像３１０および広告有画像３００の両画像を配信するので、消費者に対して両画像の差分である広告を印象づけることができる。
【００３６】
ステップＳ１３０において、その商品の広告有画像３００が配信済みである場合に（Ｓ１３０：Ｙｅｓ）、広告無配信部１２０は、その個体により広告無画像３１０は配信済みであるか否かを判断する（Ｓ１４０）。広告無配信部１２０は、コード読取装置４０から受信した個体ＩＤが、個体別履歴格納部１４０に格納されていると判断した場合に、その個体により広告無画像３１０は配信済みであると判断する。これにより、商品購入者に、商品の個体ひとつについて複数回の広告無画像３１０の配信を制限するので、商品の販売促進により貢献することができる。また、広告無画像３１０の価値の低下をさらに防ぎ、消費者に商品を購入へのインセンティブを継続的に与えることができる。
【００３７】
ステップＳ１４０において、その個体により広告無画像３１０が配信済みでない場合に（Ｓ１４０：Ｎｏ）、広告無配信部１２０は、上記広告無画像ＩＤにより識別される広告無画像３１０を画像格納部１５０から取得して、印刷部１７０に配信する（Ｓ１５０）。広告無配信部１２０は、その個体により広告無画像３１０を配信した履歴を格納する（Ｓ１６０）。すなわちコード読取装置４０から受信した個体ＩＤを個体別履歴格納部１４０に格納する。広告無配信部１２０は、コード読取装置４０から受信した個体ＩＤを個体別履歴格納部１４０に格納する（Ｓ１６０）。そして本フローチャートは終了する。
【００３８】
一方、ステップＳ１００において、ユーザが広告無画像３１０の配信を選択していない場合に（Ｓ１００：Ｎｏ）、選択受付部１００は、広告有画像ＩＤ、広告無画像ＩＤおよび配信元ＩＤを広告有配信部１１０に供給する。広告有配信部１１０は、選択受付部１００から広告有画像ＩＤ、広告無画像ＩＤおよび配信元ＩＤの供給を受けた場合に、供給された広告有画像ＩＤにより識別される広告有画像３００を画像格納部１５０から取得する。広告有配信部１１０は、取得した広告有画像３００を配信元ＩＤで識別される印刷装置３０の印刷部１７０に配信する。
【００３９】
広告有配信部１１０は、その商品の広告有画像３００を印刷した履歴を格納する（Ｓ１８０）。すなわち、広告有配信部１１０は、配信先ＩＤおよび広告無画像ＩＤとして、その配信元ＩＤおよびその広告無画像ＩＤを配信先履歴格納部１３０に格納する。これにより、広告無画像３１０を印刷する前に、確実に広告有画像３００を印刷させることができる。そして本フローチャートは終了する。
【００４０】
また、ステップＳ１２０において、広告無画像３１０に対応する商品ＩＤが読み取られていない場合（Ｓ１２０：Ｎｏ）、ステップＳ１３０において、その商品の広告有画像３００が配信済みでない場合（Ｓ１３０：Ｎｏ）、または、ステップＳ１４０において、その個体により広告無画像３１０が配信済みである場合（Ｓ１４０：Ｙｅｓ）、広告無配信部１２０は、選択受付部１００に広告有画像３００を供給すべき旨を通知する。選択受付部１００は、広告無配信部１２０から広告有画像３００を供給すべき旨の通知を受けた場合に、ステップＳ１００において、ユーザが広告無画像３１０の配信を選択していない場合（Ｓ１００：Ｎｏ）と同様の動作を実行する。以下同様に、広告有配信部１１０は広告有画像３００を印刷部１７０に配信し（Ｓ１７０）、配信元ＩＤおよびその広告無画像ＩＤを配信先履歴格納部１３０に格納する（Ｓ１８０）。そして本フローチャートは終了する。
【００４１】
図５は、他の広告画像配信システム１２の一例を示す。広告画像配信システム１２は、広告画像配信サーバ６０、広告画像配信サーバ６０とネットワーク５０を介して通信する印刷装置７０、および、印刷装置７０と通信するコード読取装置４０を備える。印刷装置７０は、パーソナルコンピュータ７４、および、パーソナルコンピュータ７４からの出力に基づく印刷をするプリンタ７２を備える。パーソナルコンピュータ７４は、マウス、キーボード等の入力手段、および、ディスプレイ等の出力手段を有する。図６のコード読取装置４０の構成は図２におけるコード読取装置４０の構成と同一であるので、説明を省略する。
【００４２】
図６は、広告画像配信システム１２の一例のブロック図である。図７は、印刷装置７０により表示されるウィンドウ画面７６の一例である。印刷装置７０は、広告印刷部２２０、商品特定情報格納部２３０、個体別履歴格納部２４０、画像格納部２５０、および、表示部２６０を備える。広告画像配信サーバ６０は、両広告配信部２００、および、画像格納部２１０を備える。
【００４３】
広告画像配信サーバ６０の画像格納部２１０は、商品ＩＤに対応付けて、広告有画像３００を識別する広告有画像ＩＤ、および、広告無画像３１０を識別する広告無画像ＩＤを格納する。画像格納部２１０は、さらに、広告有画像ＩＤに対応付けて広告有画像３００、および、広告無画像ＩＤに対応付けて広告無画像３１０を格納する。画像格納部２１０は、また、広告有画像ＩＤに対応付けて、広告有画像３００を縮小した表示用画像４００を格納する。
【００４４】
両広告配信部２００は、公開しているウェブページ等を通じて印刷装置７０の広告印刷部２２０から要求があった場合に、広告印刷部２２０から、広告有画像ＩＤおよび広告無画像ＩＤ、並びに、広告有画像３００または広告無画像３１０の配信を要求した配信元の印刷装置７０を識別する配信元ＩＤとして印刷装置３０を識別する情報を受信する。この場合に、両広告配信部２００は、上記広告有画像ＩＤにより識別される広告有画像３００、広告無画像ＩＤにより識別される広告無画像３１０、対応する商品ＩＤ、および、対応する表示用画像４００を画像格納部２１０から取得して、上記配信元ＩＤで識別される印刷装置７０の画像格納部２５０に配信する。
【００４５】
印刷装置７０の画像格納部２５０は、商品ＩＤに対応付けて、広告有画像３００を識別する広告有画像ＩＤ、および、広告無画像３１０を識別する広告無画像ＩＤを格納する。画像格納部２５０は、さらに、広告有画像ＩＤに対応付けて広告有画像３００、および、広告無画像ＩＤに対応付けて広告無画像３１０を格納する。画像格納部２５０は、また、広告有画像ＩＤに対応付けて、広告有画像３００を縮小した表示用画像４００を格納する。
【００４６】
商品特定情報格納部２３０は商品ＩＤおよび個体ＩＤを格納する。個体別履歴格納部２４０は個体ＩＤを格納する。なお、広告無画像の印刷の判断の度に商品ＩＤおよび個体ＩＤが読み取られる場合には、商品情報特定格納部２３０を設けなくてもよい。
【００４７】
表示部２６０は、表示用画像４００、その表示用画像４００に対応付けられた広告有画像ＩＤ、その広告有画像ＩＤに対応付けられた広告無画像ＩＤ、および、これらに対応付けられた商品ＩＤを画像格納部２５０から取得し、この表示用画像４００をウィンドウ画面７６に表示する。表示部２６０は、ウィンドウ画面７６において、表示用画像４００に加え、完了ボタンを表示する。
【００４８】
広告印刷部２２０は、ウィンドウ画面７６の完了ボタンが押された場合に、表示部２６０により表示されていた表示用画像４００に対応する広告有画像ＩＤ、広告無画像ＩＤおよび商品ＩＤと、ユーザが選択欄において選択した選択情報を受け付ける。さらに、広告印刷部２２０は、これらの情報に基づいて、広告有画像３００および広告無画像３１０を印刷する。また、広告印刷部２２０は、コード読取装置４０から商品ＩＤおよび個体ＩＤを受信した場合に、受信した商品ＩＤおよび個体ＩＤを商品特定情報格納部２３０に格納する。
【００４９】
ウィンドウ画面７６の完了ボタンが押されたときに、広告有画像３００の印刷を選択した旨を選択情報として受け付けた場合に、広告印刷部２２０は、商品購入の条件を判断することなく、広告有画像３００を画像格納部２５０から取得して、印刷する。
【００５０】
ウィンドウ画面７６の完了ボタンが押されたときに、広告無画像３１０の印刷を選択した旨を選択情報として受け付けた場合に、広告印刷部２２０は、まず、ウィンドウ画面７６を介して受け付けた商品ＩＤが、商品特定情報格納部２３０に格納されている商品ＩＤに一致するか否かを判断する。すなわち、広告印刷部２２０は、画像格納部２５０に格納されている画像ＩＤのうちウィンドウ画面７６に表示された表示用画像４００に対応する商品ＩＤが、商品特定情報格納部２３０に格納されている商品ＩＤに一致するか否かを判断する。さらに、広告印刷部２２０は、商品特定情報格納部２３０に格納されている個体ＩＤが、個体別履歴格納部２４０に格納されているか否かを判断する。
【００５１】
広告印刷部２２０は、画像格納部２５０に格納されている画像ＩＤのうちウィンドウ画面７６に表示された表示用画像４００に対応する商品ＩＤが、商品特定情報格納部２３０に格納されている商品ＩＤに一致すると判断し、商品特定情報格納部２３０に格納されている個体ＩＤが、個体別履歴格納部２４０に格納されていないと判断した場合に、ウィンドウ画面７６を介して受け付けた広告無画像ＩＤにより識別される広告無画像３１０を画像格納部２５０から取得して印刷する。広告印刷部２２０は、広告無画像３１０を印刷した場合に、コード読取装置４０から送信された個体ＩＤを個体別履歴格納部２４０に格納する。
【００５２】
広告印刷部２２０は、画像格納部２５０に格納されている画像ＩＤのうちウィンドウ画面７６に表示された表示用画像４００に対応する商品ＩＤが、商品特定情報格納部２３０に格納されている商品ＩＤに一致しないと判断した場合、または、商品特定情報格納部２３０に格納されている個体ＩＤが、個体別履歴格納部２４０に格納されていると判断した場合に、ウィンドウ画面７６を介して受け付けた広告有画像ＩＤにより識別される広告有画像３００を画像格納部２５０から取得して印刷する。
【００５３】
図８は、印刷装置７０の動作の一例をフローチャートで示す。本フローチャートは、広告印刷部２２０が、ウィンドウ画面７６を介して、広告無画像３１０の印刷が要求されたことにより開始する。なお、本フローチャートの開始時において、画像格納部２５０は、商品ＩＤに対応付けて広告有画像ＩＤ、商品ＩＤに対応付けて広告無画像ＩＤ、広告有画像ＩＤに対応付けて広告有画像３００、および、広告無画像ＩＤに対応付けて広告無画像３１０を格納しているものとする。
【００５４】
広告印刷部２２０は、印刷を要求されている広告無画像３１０に対応する商品ＩＤを読み取ったか否かを判断する（Ｓ２２０）。広告無配信部１２０は、画像格納部２５０に格納されている画像ＩＤのうちウィンドウ画面７６に表示された表示用画像４００に対応する商品ＩＤが、商品特定情報格納部２３０に格納されている商品ＩＤに一致すると判断した場合に、印刷を要求されている広告無画像３１０に対応する商品ＩＤを読み取ったと判断する。これにより、商品購入者にその商品に係る広告無画像３１０を印刷するので、その商品の販売促進に効果がある。特に画像を収集するユーザに対する販売促進に効果がある。
【００５５】
ステップＳ２２０において、上記広告無画像３１０に対応する商品ＩＤが読み取られた場合に（Ｓ２２０：Ｙｅｓ）、広告印刷部２２０は、その個体により広告無画像３１０は配信済みであるか否かを判断する（Ｓ２４０）。広告印刷部２２０は、商品特定情報格納部２３０に格納されている個体ＩＤが、個体別履歴格納部２４０に格納されていると判断した場合に、その個体により広告無画像３１０は配信済みであると判断する。これにより、商品購入者に、商品の個体ひとつについて複数回の広告無画像３１０の配信を制限するので、商品の販売促進により貢献することができる。また、広告無画像３１０の価値の低下をさらに防ぎ、消費者に商品を購入へのインセンティブを継続的に与えることができる。
【００５６】
ステップＳ２４０において、その個体について広告無画像３１０が配信済みでない場合に（Ｓ２４０：Ｎｏ）、広告印刷部２２０は、上記広告無画像ＩＤにより識別される広告無画像３１０を画像格納部２５０から取得して印刷する（Ｓ２５０）。広告印刷部２２０は、その個体により広告無画像３１０を印刷した履歴を格納する（Ｓ２６０）。すなわち広告印刷部２２０は、その個体の個体ＩＤを個体別履歴格納部２４０に格納する（Ｓ２６０）。そして本フローチャートは終了する。
【００５７】
一方、ステップＳ２２０において、上記広告無画像３１０に対応する商品ＩＤが読み取られていない場合（Ｓ２２０：Ｎｏ）、または、ステップＳ２４０において、広告印刷部２２０は、その個体により広告無画像３１０が配信済みである場合（Ｓ２４０：Ｙｅｓ）、広告印刷部２２０は、上記広告有画像ＩＤにより識別される広告有画像３００を画像格納部２５０から取得して印刷する（Ｓ２７０）。これにより、広告無画像３１０を印刷させない場合に、代わりに広告有画像３００を印刷させることにより、商品の販売を促進することができる。そして本フローチャートは終了する。
【００５８】
なお、広告画像配信システム１０において、広告画像配信サーバ２０と印刷装置３０は相互に例えばＨＴＴＰにより通信する。印刷装置３０とコード読取装置４０は相互に例えばＵＳＢ、ＩＥＥＥ１３９４等の有線、または、赤外線通信等の無線を用いて通信する。広告画像配信システム１２においても同様である。
【００５９】
以上、本実施例によれば、商品購入者にその商品に係る広告無画像３１０を配信するので、その商品の販売を促進することができる。特に画像を収集するユーザに対し、その画像に付された広告に関する商品の販売を促進することができる。
【００６０】
なお、コード読取装置４０は、商品ＩＤに加えて、提供された役務に対応付けられたコードから役務の種類を特定する役務特定情報を読み取ってもよい。コード読取装置４０は、個体ＩＤに加えて、提供された役務に対応付けられたコードから個々の役務の売買を識別する売買識別情報を読み取ってもよい。
【００６１】
また、配信先ＩＤおよび配信元ＩＤは、例えば、印刷装置３０、７０に割り当てられたＩＰアドレス等であってもよい。印刷装置３０、７０に割り当てられたＩＰアドレス等を配信先ＩＤおよび配信元ＩＤとしないときは、配信先ＩＤおよび配信元ＩＤとして、クッキー（Cookie）により印刷装置３０、７０に記憶される情報、または、ウィンドウ画面３６等を介してユーザにより入力された情報等を用いてもよい。
【００６２】
また、印刷装置３０の表示部１８０は、広告有画像３００を縮小した表示用画像４００に加え、広告無画像３１０を縮小した表示用画像４００を表示してもよい。
【００６３】
また、図４のステップＳ１７０および図８のステップＳ２７０において広告有画像を自動的に配信又は印刷するのに代えて、エラーメッセージを表示してもよい。この場合に、エラーメッセージを表示した後に、広告有画像の配信又は印刷をしてよいかどうかをユーザに確認させたり、コードの読み取りを求めたり、または、そのまま動作を終了してもよい。
【００６４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６５】
【図１】広告画像配信システム１０の一例を示す。
【図２】広告画像配信システム１０の一例をブロック図で示す。
【図３】印刷装置３０により表示されるウィンドウ画面３６の一例を示す。
【図４】広告画像配信サーバ２０の動作の一例をフローチャートで示す。
【図５】広告画像配信システム１２の一例を示す。
【図６】広告画像配信システム１２の一例をブロック図で示す。
【図７】印刷装置７０により表示されるウィンドウ画面７６の一例を示す。
【図８】印刷装置７０の動作の一例をフローチャートで示す。
【符号の説明】
【００６６】
１０  広告画像配信システム、１２  広告画像配信システム、２０  広告画像配信サーバ、３０  印刷装置、３２  プリンタ、３４  パーソナルコンピュータ、３６  ウィンドウ画面、４０  コード読取装置、５０  ネットワーク、６０  広告画像配信サーバ、７０  印刷装置、７２  プリンタ、７４  パーソナルコンピュータ、７６  ウィンドウ画面、１００  選択受付部、１１０  広告有配信部、１２０  広告無配信部、１３０  配信先履歴格納部、１４０  個体別履歴格納部、１５０  画像格納部、１７０  印刷部、１８０  表示部、１９０  入力部、２００  両広告配信部、２１０  画像格納部、２２０  広告印刷部、２３０  商品特定情報格納部
２４０  個体別履歴格納部、２５０  画像格納部、２６０  表示部、３００  広告有画像
３１０  広告無画像、４００  表示用画像
【図１】
2007193229.tif 000003
【図２】
2007193229.tif 000004
【図３】
2007193229.tif 000005
【図４】
2007193229.tif 000006
【図５】
2007193229.tif 000007
【図６】
2007193229.tif 000008
【図７】
2007193229.tif 000009
【図８】
2007193229.tif 000010